(57)【要約】【課題】  本発明は、医療用設備と、収納設備からなる病室等の設備ユニットに関するもで、収納設備の容積を変化させることにより、医療、看護行為が迅速に行える空間を、必要に応じて確保することも可能な、病室等の設備ユニットを提供することを課題とする。【解決手段】  少なくとも、下部収納設備を有する病室の設備ユニットにおいて、下部収納設備の前面に扉を設け、背面を開口とする中空直方体状の移動ケースと、この移動ケースを前面開口部から出し入れ自在に収納する固定ケースからなり、移動ケースと固定ケース間にスライドガイドを設け、固定ケースの後板には棚板を設け、移動ケースが固定ケースに収納された時、棚板は移動ケース内に位置し、移動ケースが固定ケースから引き出された時、棚板は、固定ケース内に位置させる。【選択図】 図７
2018033789.tif 000002
【特許請求の範囲】
【請求項１】
少なくとも、下部収納設備を有する病室の設備ユニットにおいて、下部収納設備は、前面に扉が設けられ背面が開口する中空直方体状の移動ケースと、この移動ケースを前後に出し入れ自在に、移動ケースを内包、あるいは、外包状態で収容する固定ケースからなり、下部収納設備には、移動ケースを前後に出し入れするいずれの状態においても、固定ケース内で使用可能な棚板が設けられることを特徴とする病室等の設備ユニット。
【請求項２】
移動ケースが固定ケースから引き出された状態で、棚板を不使用状態にすることにより、移動ケースと固定ケース内で一つの空間が形成されること特徴とする請求項１に記載の病室等の設備ユニット。
【請求項３】
棚板は、固定ケースの後板に後部が支持され、該支持部より前方で棚板を支持する棚受が移動ケースに設けられること特徴とする請求項１、あるいは、請求項２に記載の病室等の設備ユニット。
【請求項４】
棚板は、上方に回動可能に外部ケースの後板に取り付けられていること特徴とする請求項１〜請求項３のいずれかに記載の病室等の設備ユニット。
【請求項５】
固定ケースは、壁面に固定された医療用設備の下部に連結されていること特徴とする請求項１〜請求項４のいずれかに記載の病室等の設備ユニット。
【発明の詳細な説明】
【技術分野】
【０００１】
本発明は、患者に医療看護行為を行う為のコンセント、スイッチ、ナースコールなどの電気機器関係や、医療用ガスのアウトレット（酸素、空気、吸引等のガスの供給口と吸引口等）などが組み付けられた医療用設備と、患者の私物等を収納しておく収納設備からなり、主に病室や療養施設の居室内に設置される病室等の設備ユニットに関するものである。
【背景技術】
【０００２】
患者のベッドの頭部側壁面に設置される病室の設備ユニットが、以前より知られている。
このような病室の設備ユニットは、医療用ガス取出装置、パネルスイッチ等を有する医療用設備（側枠）をベッド側に配し、患者の私物を収納する収納設備（キャビネット）を正面側から使用できるよう、前記医療用設備（側枠）と一体とし、患者のベッド間の頭部側壁面に設置されるものである。（特許文献１参照）
【０００３】
そして、病室内に持ち込まれる医療・検査機器の増加、あるいは、迅速さを要求される医療看護行為の為のスペースを確保する必要性等から、上記収納設備の容積は小さくなる傾向にあり、入院時には、患者の着替え、洗面道具など限られたものしか持込み、収納することが出来なかった。
【０００４】
さらに、近年、普及の著しいキャリーバッグに、上記物品を収納して持ち込まれる場合が多くなり、キャリーバッグのような大型の収納バッグの収納場所がなく、退院時まで、収納設備の外に置かれているため、医療・検査機器の設置、あるいは、医療看護行為の邪魔になるばかりか、盗難の恐れもあった。
【先行技術文献】
【特許文献】
【０００５】
【特許文献１】実公昭５６−４８２９０公報
【発明の概要】
【発明が解決しようとする課題】
【０００６】
本発明は、従来の問題点に鑑みて、持ち込まれたキャリーバッグなどの大型な物品のサイズに応じて収納設備の容積を変化させることにより、大型な物品を収納可能とすることで、医療・検査機器の設置、あるいは、医療看護行為の邪魔になることを防ぐだけでなく、キャリーバッグなどの盗難を予防し、キャリーバッグなどの大型な物品を収納しても、医療、看護行為が迅速に行える空間を、必要に応じて確保することも可能な、病室等の設備ユニットを提供することを課題とする。
【課題を解決するための手段】
【０００７】
そこで、上記課題を解決する為、本発明が第１の手段として構成したところは、少なくとも、下部収納設備を有する病室の設備ユニットにおいて、下部収納設備は、前面に扉が設けられ背面が開口する中空直方体状の移動ケースと、この移動ケースを前後に出し入れ自在に、移動ケースを内包、あるいは、外包状態で収容する固定ケースからなり、下部収納設備には、移動ケースを前後に出し入れするいずれの状態においても、固定ケース内で使用可能な棚板が設けられるものである。
【０００８】
次に、上記課題を解決する為、本発明が第２の手段として構成したところは、上記第１の手段として構成したところに加え、移動ケースが固定ケースから引き出された状態で、棚板を不使用状態にすることにより、移動ケースと固定ケース内で一つの空間が形成されるものである。
【０００９】
次に、上記課題を解決する為、本発明が第３の手段として構成したところは、前記第１の手段、あるいは、第２の手段として構成したところに加え、棚板は、固定ケースの後板に後部が支持され、該支持部より前方で棚板を支持する棚受が移動ケースに設けられるものである。
【００１０】
次に、上記課題を解決する為、本発明が第４の手段として構成したところは、上記第１の手段、あるいは、第２の手段、あるいは、第３の手段として構成したところに加え、棚板は、上方に回動可能に外部ケースの後板に取り付けられているものである。
【００１１】
次に、上記課題を解決する為、本発明が第５の手段として構成したところは、上記第１の手段、あるいは、第２の手段、あるいは、第３の手段、あるいは、第４の手段として構成したところに加え、固定ケースは、壁面に固定された医療用設備の下部に連結されているものである。
【発明の効果】
【００１２】
請求項１に記載の発明によると、キャリーバッグのような大型収納物品がない場合は、移動ケースを固定ケース側に収容し、収納設備の容積を小さくして、医療看護用空間を大きく確保できる。また、洗面道具などの日用使用品は固定ケースの棚板上の収納することが出来る。一方、キャリーバッグのような大型の収納物品がある場合は、固定ケース内から移動ケースを引き出して、棚板前方と移動ケース内に出来た収納空間に大型収納物品を収納することができる。そのため、医療看護の作業中に、医師等が大型収納物品にぶっつかることや、あるいは、大型収納物品が盗難にあうことを防止できる。
【００１３】
請求項２に記載の発明によると、前記効果に加え、移動ケースを引き出した状態で、移動ケースと固定ケース内で連続する大型空間を形成できるため、より大型なキャリーバッグなどの大型収納物品を収納することが可能である。
【００１４】
請求項３に記載の発明によると、前述の効果に加え、移動ケースには、固定ケースへの出し入れ時、棚板を支持する棚受が設けられているから、移動ケースが固定ケースに対しいずれの位置にあっても棚板を確実に支持することができ、棚板の強度的に優れている。
また、棚板を移動ケース側でも支持するから、移動ケースを固定ケース内包に収容する形態としても、移動ケースを引き出した状態で固定ケース内での棚板の使用が可能である。
そして、移動ケースを固定ケース内包に収容する形態にできるから、移動ケースを引き出した状態で、移動ケースの後端面が露出しないようにでき、移動ケースの後端面の露出によって発生しやすい、移動ケースの引き込み時の移動ケースの後端面での、指詰め、ゴミなどのカミ込みなどを抑えることが可能である。
【００１５】
請求項４に記載の発明によると、前述の効果に加え、棚板を上方に回動させる簡単な作業だけで、移動ケース内から固定ケース内に連続する大型空間を構成できるので作業性がよい。
【００１６】
請求項５に記載の発明によると、前述の効果に加え、固定ケースは、壁面に固定された医療用設備の下部に連結されているので、医療用設備と下部収納設備が一体化される。そのため不用意に下部収納設備が移動することがなく、患者のベッド間に設置されることで、病室の設備ユニットとしての使い勝手がよい。
【図面の簡単な説明】
【００１７】
【図１】本発明の病室の設備ユニットが設置された病室の斜視図
【図２】病室の設備ユニットの斜視図
【図３】病室の設備ユニットの右側面図
【図４】病室の設備ユニットの要部縦断面図
【図５】図４のＡ−Ａ線拡大断面図
【図６】移動ケースを引き出した状態の病室の設備ユニットの斜視図
【図７】図６に対応する下部収納設備の要部縦断面図
【図８】図７のＢ−Ｂ線拡大断面図
【図９】キャリーバックを収納した状態の病室の設備ユニットの斜視図
【図１０】図９に対応する下部収納設備の要部縦断面図
【図１１】図１０のＣ−Ｃ線拡大断面図
【図１２】小型のキャリーバッグを収納した状態の下部収納設備の要部縦断面図
【図１３】第２実施例の移動ケースを収容した状態の要部縦断面図
【図１４】第２実施例の移動ケースを引き出した状態の要部縦断面図
【図１５】図１４のＤ−Ｄ線拡大断面図
【発明を実施するための最良の形態】
【００１８】
少なくとも、下部収納設備を有する病室の設備ユニットにおいて、下部収納設備は、前面に扉が設けられ、背面が開口する中空直方体状の移動ケースと、この移動ケースを前面開口部から出し入れ自在に収納する固定ケースからなり、移動ケースと固定ケース間にはスライドガイドが設けられ、固定ケースの後板には棚板が設けられ、移動ケースが固定ケースに収納された時、棚板は移動ケース内に位置し、移動ケースが固定ケースから引き出された時、棚板は、固定ケース内に位置し、移動ケースには、固定ケースへの出し入れ時、前記棚板を支持する棚受が設けられ、棚板は、上方に回動可能に固定ケースの後板に取り付けられ、固定ケースは、壁面に固定された医療用設備の下部に連結されているものである。
【実施例】
【００１９】
以下、第１実施例を添付図面に基づいて詳述する。
図１において、符号１００、１００は、ベッド２００、２００間の頭部側壁面２０１に設置された本発明の設備ユニットを示し、符号３００は設備ユニット１００、１００間に設けられたカーテンを示し、符号４００は患者の頭上に設けられた読書灯を示している。
【００２０】
設備ユニット１００は、ベッド側方の頭部側の壁面２０１に連結して配設された医療用設備１と、医療用設備１の前面側上下に連結された上下部収納設備２、３からなる収納設備４より構成されている。
医療用設備１は、図２から図５に示すように、頭部側の壁面２０１と連結される本体１１と、本体１１の患者側部分を着脱自在に閉塞するカバー体１２と、本体１１に取り付けられ、カバー体１２の開口に臨むガス接続器具（医療用ガスのアウトレット）１３、１３、ナースコールユニット（ナースコール接続口、及びナースコール子機器具）１４、読書灯スイッチ１５、コンセント１６、医療用壁掛式吸引器１７の取付用フック１８より構成されている。
【００２１】
本体１１は、頭部側壁面２０１と連結される基板１１１と、基板１１１のベッド側の端部に一体に形成された、ベッドから離間する斜め方向で前方に突出するカバー取付壁１１２と、カバー取付壁１１２からベッドの反対方向に離間し、カバー取付壁１１２と基板１１１の端部側にて、縦方向の中空部(配線配管空間)１１０を形成する前方突出壁１１３と、カバー取付壁１１２の反対側の基板１１１の端部と前方突出壁１１３間で、左右方向に所定間隔を有して基板１１１の前面から前方に突出し、前面に上下部収納設備２、３を連結する収納部連結用突片１１４、１１４と、収納部連結用突片１１４、１１４の上下部収納設備２、３が連結されない個所と基板１１１を前面から隠蔽する閉塞板１１５より構成されている。
【００２２】
上部収納設備２は前記収納部連結用突片１１４、１１４に連結される上後板２１と左右上側板２２，２２と、左右上側板２２、２２の上下端部に位置する上天板２３、上底板２４と、左右上側板２２、２２間に配設された上棚板２５と、左右上側板２２、２２、上底板２４との前面に開閉自在に配設された上扉２６と、左右上側板２２、２２の上端部間に配設された框板２７と、上部収納部２と天井間に上下昇降用部材２８を介して上下動自在に配設された笠木部２９より構成されている。
【００２３】
下部収納部３は、前面に扉５１が設けられ背面が開口する中空直方体状の移動ケース５と、この移動ケース５を前面開口部６０から出し入れ自在に収容する固定ケース６から構成され、移動ケース５は、下端前後端部にキャスター５０・・・が設けられ、左右に所定間隔（左右の外部幅が固定ケース６の左右の内部幅よりやや小さな間隔で）を有して配設され、固定ケース６の内部高さより小さい高さで、固定ケース６に収納可能な奥行きの移動ケース左右側板５２、５２と、移動ケース左右側板５２、５２の上端部間に配設された内天板５３と、兆番５２１、５２１を介して移動ケース左右側板５２、５２、内天板５３の前端部で形成された開口を開閉自在とする扉５１より構成されている。
符号５３１・・・は、内天板５３の下面で、移動ケース左右側板５２、５２の上端部間に配設された上補強材、符号５３２は、移動ケース５を引き出すための引手、符号５１１は、開閉用の取手を示している。
【００２４】
固定ケース６は、前記収納部連結用突片１１４、１１４に連結される後板６１と、医療用設備１のカバー体１２側に位置する固定ケース右側板６２と、後端部が後板６１、固定ケース右側板６２の後方に突出し、本体１１の左側端部を隠蔽する固定ケース左側板６３と、固定ケース左右側板６１、６２の上端面間に取り付けられた外天板６４と、左右幅が前記移動ケース５の移動ケース左右側板５２，５２の内部間寸法よりやや小さく、折畳み用兆番６５・・・を介して、上方向に折畳み可能で、上下方向に所定間隔を有して後板６１に連結された棚板６６・・・より構成されている。
【００２５】
そして、移動ケース５の移動ケース左右側板５２、５２の内面に、移動ケース５が固定ケース６から引き出された状態であっても、又、固定ケース６に収納された状態であっても、常に棚板６６・・・を略水平状態に支持する棚受５５・・・が、内方に突出し前後方向に渡って設けられている。
このように、棚板６６は、固定ケース６の側板内面と棚板６６の側面との間に、移動ケース５の側板が納まる程度の隙間が空けられて固定ケース６側に取り付けられている。
【００２６】
又、移動ケース５の移動ケース左右側板５２、５２の上端部外面と、固定ケース６の左右外側板６３、６２の上端部内面間には、移動ケース５の固定ケース６からの出入が所定の前後寸法で円滑に行えるようスライドガイド７、７が設けられている。
符号８は、引き出された移動ケース５が不用意に固定ケース６内に収納されないよう、移動ケース５のうち移動ケース左右側板５２、５２の外面に設けられたストッパー部材を示している。
【００２７】
スライドガイド７は、樹脂製の角棒状のものであって、固定ケース６の両側板内に水平に設置されているものである。
そして、移動ケース５の両側板の外面のスライドガイド７に対応する位置に、スライドガイド７を内包するガイド溝７０が設けられている。
スライドガイド７の先端には上方に突出するストッパー部が設けられ、移動ケース５には該ストッパー部に当接するストッパーピンが設置される。
移動ケース５を引き出すと、ストッパーピンがストッパー部に接触し、移動ケース５が引き出されないように規制できるので、移動ケース５は固定ケース６から安易に分離することがない。
このように、スライドガイド７は、移動ケース５のスライド移動中の軌道が直線となるように案内し、移動ケース５が固定ケース６から抜け出るのを防止するものである。
【００２８】
スライドガイド７は、外側レールと、内側レールと、両レール間に介在せしめたボール及びボール保持材から構成されているボールベアリング式のスライドレール（例えば、実公昭６１−４２４５０公報に記載）に変更してもよい。
【００２９】
ストッパー部材８は、移動ケース５の移動ケース左右側板５２、５２の後部上端部に設置され、ストッパー部材８に内包される係止部を指で操作すると係止部が突出するものである。そして、固定ケース６の固定ケース左右側板６３、６２の前方に位置したとき、係止部を操作し係止部を突出させ、移動ケース５が固定ケース６内に収納されるのを阻止できるようになる。移動ケース５を固定ケース６内に収納する時は、指先で係止部内包させる。ストッパー部材は、このような形態のもの限らず、係止部が突出方向に常に付勢されたもので、所定の位置で係止部が突出するようなものであってもよい。
【００３０】
尚、スライドガイド７を、ボールベアリング式のスライドレールとし、該ボールベアリング式のスライドレールの固定ケースに移動ケースが収納された状態を維持する収納時保持機能付きを使用すれば、移動ケースが不用意に飛び出すこともない。又、最大限引き出された状態で停止し、その状態を維持する機能付き（例えば、実公昭６１−４２４５０公報に記載）を使用すれば、ストッパー部材８を省くこともできる。
【００３１】
本発明は上記の如く構成されているので、病室内にキャリーバッグが持ち込まれなかった場合は、図４に示すように、移動ケース５を固定ケース６に収納した状態、すなわち、移動ケース５を固定ケース６が内包する状態で、固定ケースに設けた棚板６６・・・を、移動ケース５の棚受５５・・・で略水平状態に支持する（棚受５５の上端面全面で棚板６６の左右端部下面全面を支持している。）ことで、棚板６６・・・上を日用使用品の収納場所、上部収納部を着替え等の収納場所として使用する。
【００３２】
次に、小型のキャリ−バッグが持ち込まれた場合は、移動ケース５を固定ケース６から引き出して、棚受５５の後端部上面で、棚板６６の左右端部下面前端部を支持し、棚板６６・・・の前方空間を小型のキャリーバッグＫの収納空間として使用し、棚板６６・・・上を日用使用品の収納場所、上部収納部２を着替え等の収納場所として使用する（図７、図８、図１２に２点鎖線で示す。）。
【００３３】
一方、医療用機器が病室内に常時置かれ、移動ケース５を十分に引き出すスペースが確保できない場合、移動ケース５を固定ケース６に収納した状態で、棚板６６・・・の前端部を持ち上げて上方に回動し、固定ケース６（移動ケース５）内に小型のキャリ−バッグＫを収納し（図１２に示す状態。）、上部収納部２に、日用使用品、着替え等を収納する。
【００３４】
次に、大型のキャリ−バッグＪ（図９に示す。）が持ち込まれた場合は、移動ケース５を固定ケース６から引き出し、棚板６６・・・の前端部を持ち上げて上方に回動し、固定ケース６から移動ケース５に連続する空間を構成し、この空間に、大型のキャリ−バッグＪを収納する。（図１０、図１１に２点鎖線で示す。）そして、上部収納部２に、日用使用品、着替え等を収納する。
このように、棚板６６を上方に回動し棚板を不使用状態とすることで、移動ケース５内と固定ケース６内で、棚板６６で仕切られない連続した一つの空間を形成することができるので、大型の荷物を収納することが可能となる。
【００３５】
尚、前端部を持ち上げて上方に回動した棚板６６は、固定ケースの後板６１に設置されたマグネット式の保持部材６６０で、略垂直の状態で保持され不使用状態とされている。
該保持状態を解除するには、保持部材６６０付近の棚板６６を押すと、保持部材６６０保持状態が解除される。
【００３６】
本実施例における棚板６６は、回動式で棚板の不使用状態とするが、棚板６６の不使用時に棚板６６を取り外し、取り外した棚板６６は、別途収納したり、立てて後板６１に引っ掛ける方式にしても構わない。しかしながら、取り外した棚板を別途収納する作業が発生するため、回動式にしたほうが、棚板を上方に回動させる簡単な作業だけで、移動ケース内から固定ケース内に連続する大型空間を構成できるので作業性がよい。
【００３７】
図１３、１４に示すのは、第２実施例であって、前述の実施例では、固定ケース６に内包する大きさで移動ケース５が形成されているが、本実施例においては、固定ケース６ａを外包する大きさで移動ケース５ａが形成されている。そして、移動ケース６ａを引き込んだ状態で、移動ケース５ａが固定ケース６ａに外包状態に収容、すなわち、移動ケース５ａ内に固定ケース６ａが収容された状態となる。
【００３８】
第２実施例における下部収納部３は、前面に扉５１が設けられ背面が開口する中空直方体状の移動ケース５ａと、この移動ケース５ａ内に内包する固定ケース６ａから構成され、移動ケース５ａは、下端前後端部にキャスター５０・・・が設けられ、左右に所定間隔（左右の内部幅が固定ケース６の左右の内部幅よりやや広い間隔で）を有して配設され、固定ケース６ａの外部高さより高い高さで、固定ケース６を収納可能な奥行きの移動ケース左右側板５２ａ、５２ａと、移動ケース左右側板５２ａ、５２ａの上端部間に配設された天板５３ａと、平兆番５２１ａ、５２１ａを介して、移動ケース左右側板５２ａ、５２ａ、天板５３ａの前端部で形成された開口を開閉自在とする扉５１より構成されている。
【００３９】
固定ケース６ａは、前記収納部連結用突片１１４、１１４に連結される後板６１と、医療用設備１のカバー体１２側に位置する固定ケース右側板６２と、後端部が後板６１、固定ケース右側板６２の後方に突出し、本体１１の左側端部を隠蔽する固定ケース左側板６３と、固定ケース右側板６２と固定ケース左側板６３の上端面間に取り付けられた固定天板６４と、左右幅が固定ケース右側板６２と固定ケース左側板６３の内部間寸法よりやや小さく、折畳み用兆番６５・・・を介して、上方向に折畳み可能で、上下方向に所定間隔を有して後板６１に連結された棚板６６・・・より構成されている。
そして、固定ケース右側板６２と固定ケース左側板６３に設けられた棚受５５ａ、５５ａによって棚板６６は支持されている。
【００４０】
第２実施例におけるスライドガイド７は、移動ケース５の両側板の内面に水平に設置される。そして、固定ケース６の両側板の外面にスライドガイド７に対応する位置に、スライドガイド７を内包するガイド溝７０が設けられる。
【００４１】
このように、移動ケース５ａで固定ケース６ａを外包する場合、固定ケース６ａに設置されている棚板６６の前方部の支持は、固定ケース右側板６２、固定ケース左側板６３に設けられた棚受５５ａ、５５ａで行われるので、棚板６６は、固定ケース６ａ側のみで支持されるため、構成を簡素化できる。
反面、移動ケース５ａで固定ケース６ａを外包する場合、移動ケース６ａを引き出した状態で、移動ケース６ａの左右側板の後端面５２ｂが露呈することになるので、移動ケース６ａの引き込み時の移動ケースの後端面５２ｂで、指詰め、ゴミなどのカミ込みなどに注意が必要となる。
【００４２】
第１実施例、第２実施例のいずれの場合においても、移動ケース、固定ケース共に底板を設けておらず、両側板と天板とで門型に形成されている。
底板を設けないことにより、移動ケース、固定ケースの底面は床面をそのまま使用できるので、下部収納部３と床との間に段差がなく、キャリーバッグなどの大型の物品を持ち上げなくとも、下部収納部３内に納めることができる。また、掃除の際、扉５１を開放することにより、床面の掃除の延長で下部収納部３内の掃除も行えるので、使い勝手が良い。
【符号の説明】
【００４３】
１００        病室の設備ユニット
１            医療用設備
２            上収納設備
３            下収納設備
５、５ａ      移動ケース
５１          扉
５５、５５ａ  棚受
６、６ａ      固定ケース
６１          後板
６６          棚板
７            スライドガイド
【図１】
2018033789.tif 000003
【図２】
2018033789.tif 000004
【図３】
2018033789.tif 000005
【図４】
2018033789.tif 000006
【図５】
2018033789.tif 000007
【図６】
2018033789.tif 000008
【図７】
2018033789.tif 000009
【図８】
2018033789.tif 000010
【図９】
2018033789.tif 000011
【図１０】
2018033789.tif 000012
【図１１】
2018033789.tif 000013
【図１２】
2018033789.tif 000014
【図１３】
2018033789.tif 000015
【図１４】
2018033789.tif 000016
【図１５】
2018033789.tif 000017